(57)【要約】      （修正有）【課題】包装梱包用箱本体の幅方向両端部の固定が十分になされると共に、高さ方向から力が加えられた場合であっても、折込蓋片部と上面部との間に間隙が生じることがなく、異物が混入される危険性を軽減することができる包装梱包箱を提供する。【解決手段】蓋部として、上記開口部の開口縁部に延設され、内方へ折り曲げることで、上記開口部を覆う蓋片部と、上記蓋片部に延設され、上記蓋片部が内方に折り曲げられた場合に箱体本体の内部に差し込まれることで、上記開口部を封止しうる連結片部とを有し、上記蓋片部と上記開口縁部との間には、内方へ折り込み可能な折込蓋片部が上記蓋片部の両端において一対に互いに対向して設けられ、上記一対の折込蓋片部には、上記蓋片部が内方に折り曲げられた場合に、上記連結片部の基端部と当接する位置に係合片部が設けられると共に、上記連結片部の基端部には、上記係合片部と係合させることで、上記蓋片部を固定しうる一対の係合溝部が設けられている。【選択図】図２
0003142170.tif 000002
【実用新案登録請求の範囲】
【請求項１】
箱体本体内部に収納物を収納して、開口部を蓋部で閉じることで封止する包装梱包箱であって、
上記蓋部は、上記開口部の開口縁部に延設され、内方へ折り曲げることで、上記開口部を覆う蓋片部と、上記蓋片部に延設され、上記蓋片部が内方に折り曲げられた場合に箱体本体の内部に差し込まれることで、上記開口部を封止しうる連結片部とから形成され、
上記蓋片部と上記開口縁部との間には、内方へ折り込み可能な折込蓋片部が上記蓋片部の両端において一対に互いに対向して設けられ、
上記一対の折込蓋片部には、上記蓋片部が内方に折り曲げられた場合に、上記連結片部の基端部と当接する位置に係合片部が設けられると共に、上記連結片部の基端部には、上記係合片部と係合させることで、上記蓋片部を固定しうる一対の係合溝部が設けられていることを特徴とする包装梱包箱。
【請求項２】
上記包装梱包箱の本体は直方体に形成され、上面部と、底面部と、側面部とを有し、上記蓋片部は上記本体の長さ方向両端部に形成される開口部において、上記底面部の長さ方向端縁部に、上記本体の幅方向に沿って連設され、
上記折込蓋片部は、一端部が上記開口部において上記本体の幅方向側面部の長さ方向端縁部に連設されると共に、他端部が上記蓋片部の幅方向端部に連設され、
上記連結片部の係合溝部は、上記連結片部の基端部の幅方向両端部において、幅方向に沿って設けられると共に、上記折込蓋片部の係合片部は、上記折込蓋片部の反蓋片部側端部に形成されていることを特徴とする請求項１記載の包装梱包箱。
【請求項３】
上記係合片部は、上記折込蓋片部が内方に折り込まれた場合に、上記開口縁部の反蓋片部側の幅方向両端部に当接しうるように形成されていることを特徴とする請求項１又は２に記載の包装梱包箱。
【請求項４】
上記蓋片部の対向側の開口縁部には、上記蓋片部を閉状態に固定しうる蓋部固定片部が連設されると共に、上記連結片部の基端部の幅方向中央部には、上記蓋部固定片部を挿入しうるスリットが設けられていることを特徴とする請求項１〜３いずれか１項記載の包装梱包箱。
【請求項５】
上記スリットの両端部には一対の段部が設けられると共に、上記蓋部固定片部の幅方向両端部には、上記段部に係止される一対の係止溝部が設けられていることを特徴とする請求項４記載の包装梱包箱。
【請求項６】
上記包装梱包箱は、内部に食品が収納されることを特徴とする請求項１〜５のいずれか１項に記載の包装梱包箱。
【考案の詳細な説明】
【技術分野】
【０００１】
本考案は包装梱包箱に係り、特に、収納物を収納した後で開口部を簡便に閉じて封止することができると共に、収納物を封入した後は容易に開口部が開放できず、異物が内部に混入することを防止しうる包装梱包箱に関する。
【背景技術】
【０００２】
例えば、食品等を収納するための包装梱包箱は、紙製箱状に形成され、収納物を収納するための開口部が蓋部と共に設けられており、収納物を収納した後で上記開口部が蓋部により閉じられるように構成されている。
【０００３】
収納物が食品である場合は、安全性の観点から、開口部を封止する場合に食品以外の異物が内部に残存することを防止する必要があると共に、食品が内部に収納されて封止され、商品として流通する場合に、取引流通過程において、封止した開口部が開放されて内部に毒物等が混入されることのないように、蓋部を確実に閉じて封止し、且つ容易に開放することができないようにすることが必要となる。
【０００４】
従来、上記包装梱包箱の蓋部を閉じる場合は、接着剤や両面接着テープを使用して蓋部を固定することが多かった。
【０００５】
しかしながら、接着剤を使用する場合は、接着剤の塗布工程が別途必要となるため、製造コストが大きくなるという不具合があり、又、接着剤の量が誤って過多になると食み出し、外観品質上好ましくないという不具合があった。
更に、昨今においては、箱に食品を収納したまま電子レンジで加熱調理する電子レンジ調理用食品も数多く流通しており、そのような食品を収納する包装梱包箱においては、加熱時に接着剤が溶け出し、内部の食品を汚染する危険性もあった。
【０００６】
また、両面接着テープを使用する場合は、剥がした剥離紙が誤って包装梱包箱本体の内部に紛れ込んでしまう可能性がある。したがって、両面接着テープを使用して固定した場合には、上記剥離紙が包装梱包箱の内部に残存しているか、否かを、後で全製品に関してチェックしなければならず、製造個数の大量さを考慮した場合、非常に大きな負担となる、という不具合が存していた。
【０００７】
上記不具合を解決するため、接着剤や両面テープを用いずに蓋部を封止しうる包装梱包箱が提案されている（特許文献１）。
【０００８】
図７に示すとおり、上記特許文献１に係る包装梱包箱２００は、包装梱包箱本体２０１の内部に収納物を収納して、開口部２０２、２０３を蓋部２０４、２０５により閉じて封止する包装梱包箱であって、上記蓋部２０４、２０５として、上記開口部２０２、２０３の開口縁部に、内方へ折り曲げ可能な内方蓋片部２０６、２０７と、上記内方蓋片部２０６、２０７に対向して設けられ、上記内方蓋片部２０６、２０７の外方に折り重ねて配置しうる外方蓋片部２０８、２０９とが設けられると共に、上記開口縁部の上記内方蓋片部２０６、２０７と外方蓋片部２０８、２０９との間には、内方へ折り込み可能な折込蓋片部２１０、２１１及び２１２、２１３が一対に互いに対向して設けられている。
また、上記外方蓋片部２０８、２０９には、上記内方蓋片部２０６、２０７の外方側に折り重ねられた場合には、上記内方蓋片部２０６、２０７に係止することにより上記内方蓋片部２０６、２０７と上記外方蓋片部２０８、２０９とを固定しうるロック片部２１４、２１５、２１６、２１７が設けられている。
また、上記包装梱包箱本体２０１は、図８に示すように、直方体に形成され、上面部２１８、底面部２１９及び側面部２２０、２２１、２２２、２２３を有し、図７に示すように、上記内方蓋片部２０６、２０７は、上記側面部２２０、２２２に形成される開口部２０２、２０３において、上記上面部２１８の長さ方向端縁部に幅方向に沿って連設され、上記外方蓋片部２０８、２０９は上記側面部２２０、２２２に形成される開口部２０２、２０３において、上記底面部２１９の長さ方向端縁部に幅方向に沿って連設されている。
また、上記内方蓋片部２０６、２０７の基端部にはスリット２２４、２２５が設けられると共に、上記外方蓋片部２０８、２０９には上記スリット２２４、２２５に差し込み可能な連結片部２２８、２２９が設けられ、上記ロック片部２１４、２１５、２１６、２１７は、上記連結片部２２８、２２９の両端に折曲線２３０、２３１、２３２、２３３を介し折り曲げた状態で、上記スリット２２４、２２５に挿入可能に形成されると共に、上記スリット２２４、２２５に挿入した場合には折り曲げ前の状態に復元して上記スリット２２４、２２５の両端縁部に係合しうるように形成されている。
また、上記折込蓋片部２１０、２１１、２１２、２１３は、図７に示すように、一端部が上記開口部２０２、２０３において、上記本体の幅方向側面部２２１、２２３の長さ方向端縁部に連設されると共に、他端部が上記外方蓋片部２０８、２０９の幅方向の両端部に連設され、上記折込蓋片部２１０、２１１、２１２、２１３には、上記外方蓋片部２０８、２０９が上記内方蓋片部２０６、２０７の外方側に折り重ねられた場合には、上記内方蓋片部２０６、２０７と外方蓋片部２０８、２０９との間に介在しうるように折りたたまれうる折曲線２３４、２３５、２３６、２３７が設けられている。
また、上記内方蓋片部２０６、２０７は、上記包装梱包箱本体２０１の厚さ寸法よりも僅かに短い幅寸法に形成されると共に、上記包装梱包箱本体２０１の幅寸法よりも僅かに短い長さ寸法に形成されると共に、上記外方蓋片部２０８、２０９は上記包装梱包箱本体２０１の厚さ寸法と略同一の幅寸法に形成されると共に、上記包装梱包箱本体２０１の幅寸法と同一の長さ寸法に形成され、上記折込蓋片部２１０、２１１、２１２、２１３は、上記折曲線２３４、２３５、２３６、２３７を介して包装梱包箱内方へ折り畳まれるように構成されている。
【０００９】
開口部の封止手順を、開口部２０２を例に説明する。
図９に示すように、開口部２０２を封止する場合は、外方蓋片部２０８を内方に折り曲げると共に、上記操作に伴って、上記折込蓋片部２１０、２１１が上記折り曲げ線２３４、２３５を介して内方に折畳まれることで生じる間隙２３８、２３９に、上記内方蓋片部２０６の幅方向端部を差し込みながら内方に折り曲げ、更に、上記連結片部２２８のロック片部２１４、２１５、を、折り曲げ線２３０、２３１で折り曲げて折り重ねた上で、上記スリット２２４に挿入する。
上記ロック片部２１４、２１５は上記スリット２２４に挿入された後に再び折り目が復元され、スリット２２４の両端部に係止されることで、蓋部２０４、が開放不能に固定される。
【００１０】
図９に示すとおり、特許文献１にかかる包装梱包箱２００は、接着剤や粘着テープを用いることなく、蓋部２０４を封止できるため、包装箱本体２１１の内部に粘着テープの剥離紙等が残存する恐れがあるという問題については解決されうる。
しかしながら、外方蓋片部２０８は幅方向中央部に設けられた連結片部２２８で固定されているため、幅方向両端部の固定が十分ではない。
また、高さ方向から力が加えられた場合に上記外方蓋片部２０８の幅方向両端において、折込蓋片部２１０，２１１と上面部２１８とが撓み、折込蓋片部２１０，２１１と上面部２１８との間に間隙２３８．２３９が生じ、そこから異物が混入される危険性を有していた。
【００１１】
【特許文献１】実登３１３１３４２号公報
【考案の開示】
【考案が解決しようとする課題】
【００１２】
そこで本考案の課題は、従来の包装梱包箱において不十分であった、包装梱包用箱本体の幅方向両端部の固定が十分になされると共に、高さ方向から力が加えられた場合であっても、折込蓋片部と上面部とが撓み、折込蓋片部と上面部との間に間隙が生じることがなく、異物が混入される危険性を軽減することができる包装梱包箱を提供することにある。
【課題を解決するための手段】
【００１３】
上記課題を解決するために、請求項１に記載した包装梱包箱にあっては、箱体本体内部に収納物を収納して、開口部を蓋部で閉じることで封止する包装梱包箱であって、上記蓋部は、上記開口部の開口縁部に延設され、内方へ折り曲げることで、上記開口部を覆う蓋片部と、上記蓋片部に延設され、上記蓋片部が内方に折り曲げられた場合に箱体本体の内部に差し込まれることで、上記開口部を封止しうる連結片部とから形成され、上記蓋片部と上記開口縁部との間には、内方へ折り込み可能な折込蓋片部が、上記蓋片部の両端において一対に互いに対向して設けられ、上記一対の折込蓋片部には、上記蓋片部が内方に折り曲げられた場合に、上記連結片部の基端部と当接する位置に係合片部が設けられると共に、上記連結片部の基端部には、上記係合片部と係合させることで、上記蓋片部を固定しうる一対の係合溝部が設けられていることを特徴とする。
【００１４】
従って、上記蓋片部が、上記連結片部の基端部に設けられた係合溝部と、上記折込蓋片部に設けられた係合片部とが係合することによって、幅方向両端において封止される。
【００１５】
また、請求項２に記載した考案にあっては、上記包装梱包箱の本体は直方体に形成され、上面部と、底面部と、側面部とを有し、上記蓋片部は上記本体の長さ方向両端部に形成される開口部において、上記底面部の長さ方向端縁部に、上記本体の幅方向に沿って連設され、上記折込蓋片部は、一端部が上記開口部において上記本体の幅方向側面部の長さ方向端縁部に連設されると共に、他端部が上記蓋片部の幅方向端部に連設され、上記連結片部の係合溝部は、上記連結片部の基端部の幅方向両端部において、幅方向に沿って設けられると共に、上記折込蓋片部の係合片部は、上記折込蓋片部の反蓋片部側端部の上端に形成されていることを特徴とする。
【００１６】
従って、上記連結片部の係合溝部と、上記折込蓋片部の係合片部とが、上記蓋片部の幅方向両端部において係合することで、上記蓋片部は幅方向両端部において封止される。  
【００１７】
また、請求項３に記載した考案にあっては、上記係合片部は、上記折込蓋片部が内方に折り込まれた場合に、上記開口縁部の反蓋片部側の幅方向端部に当接しうるように形成されていることを特徴とする。
【００１８】
従って、上記折込蓋片部が折り畳まれた場合に、上記係合片部が上記連結片部の係合溝部と係合することで、上記蓋片部が幅方向両端部において封止されると共に、上記折込蓋片部と上記蓋片部とが一体的に高さ方向からかかる荷重を上記蓋片部の幅方向両端部において支えうる。  
【００１９】
また、請求項４に記載した考案にあっては、上記蓋片部の対向側の開口縁部には、上記蓋片部を閉状態に固定しうる蓋部固定片部が連設されると共に、上記連結片部の基端部の幅方向中央部には、上記蓋部固定片部を挿入しうるスリットが設けられていることを特徴とする。
また、請求項５に記載した考案にあっては、上記スリットの両端部には一対の段部が設けられると共に、上記蓋部固定片部の幅方向両端部には、上記段部に係止される一対の係止溝部が設けられていることを特徴とする。
【００２０】
従って、上記蓋部固定片部によって、上記蓋片部が幅方向中央部においても封止される。
【００２１】
また、請求項６に記載した考案にあっては、上記包装梱包箱は内部に食品が収納されることを特徴とする。
【考案の効果】
【００２２】
請求項１記載の考案に係る包装梱包箱は、箱体本体内部に収納物を収納して、開口部を蓋部で閉じることで封止する包装梱包箱であって、上記蓋部は、上記開口部の開口縁部に延設され、内方へ折り曲げることで、上記開口部を覆う蓋片部と、上記蓋片部に延設され、上記蓋片部が内方に折り曲げられた場合に箱体本体の内部に差し込まれることで、上記開口部を封止しうる連結片部とから形成され、上記蓋片部と上記開口縁部との間には、内方へ折り込み可能な折込蓋片部が、上記蓋片部の両端において一対に互いに対向して設けられ、上記一対の折込蓋片部には、上記蓋片部が内方に折り曲げられた場合に、上記連結片部の基端部と当接する位置に係合片部が設けられると共に、上記連結片部の基端部には、上記係合片部と係合させることで、上記蓋片部を固定しうる一対の係合溝部が設けられていることから、上記開口部の蓋部を閉じて封止する場合に、上記蓋片部を内方に折り曲げた後、上記連結片部を上記本体内部に差し込むことで、上記折込蓋片部の係合片部と上記連結片部の基端部の係合溝部が自然に係合されるため、特許文献１の包装梱包箱と比して、包装梱包用箱本体の幅方向両端部の固定が十分になされると共に、高さ方向から力が加えられた場合であっても、折込蓋片部と上面部とが撓み難く、折込蓋片部と上面部との間に間隙が生じ難いため、異物が混入される危険性を軽減することができる。
【００２３】
また、請求項２記載の考案に係る包装梱包箱は、上記包装梱包箱の本体は直方体に形成され、上面部と、底面部と、側面部とを有し、上記蓋片部は上記本体の長さ方向両端部に形成される開口部において、上記底面部の長さ方向端縁部に、上記本体の幅方向に沿って連設され、上記折込蓋片部は、一端部が上記開口部において上記本体の幅方向側面部の長さ方向端縁部に連設されると共に、他端部が上記蓋片部の幅方向端部に連設され、上記連結片部の係合溝部は、上記連結片部の基端部の幅方向両端部において、幅方向に沿って設けられると共に、上記折込蓋片部の係合片部は、上記折込蓋片部の反蓋片部側端部の上端に形成されている。
また、請求項３記載の考案に係る包装梱包箱は、上記係合片部は、上記折込蓋片部が内方に折り込まれた場合に、上記開口縁部の反蓋片部側の幅方向端部に当接しうるように形成されていることから、箱体本体に高さ方向の加重が加わった場合に、上記折込蓋片部と上記蓋片部とが一体的に上記荷重を支える。
従って、請求項１の効果に加え、高さ方向から力が加えられた場合であっても、折込蓋片部と上面部とが撓み難く、折込蓋片部と上面部との間に間隙がより生じ難いため、異物が混入される危険性を、より軽減することができる。
【００２４】
また、上記折込蓋片部は、一端部が上記開口部において上記本体の幅方向側面部の長さ方向端縁部に連設されると共に、他端部が上記蓋片部の幅方向端部に連設されているため、上記底面部と幅方向側面部、及び上記底面部と長さ方向側面部の接合部に間隙が生じることがない。
従って、上記効果の他、収容物が外部に漏出することをも防止することができるという効果をも奏する。  
【００２５】
また、請求項４記載の考案に係る包装梱包箱は、上記蓋片部の対向側の開口縁部には、上記蓋片部を閉状態に固定しうる蓋部固定片部が連設されると共に、上記連結片部の基端部の幅方向中央部には、上記蓋部固定片部を挿入しうるスリットが設けられており、また、請求項５記載の考案に係る包装梱包箱は、上記スリットの両端部には一対の段部が設けられると共に、上記蓋部固定片部の幅方向両端部には、上記段部に係止される一対の係止溝部が設けられていることから、上記包装梱包箱本体の幅方向両端部に加え、幅方向中央部においても、上記蓋片部が固定されるため、請求項１の効果に加え、外部から異物混入される危険性を更に確実に軽減することができる。
【００２６】
請求項６記載の本考案に係る包装梱包箱は、上記包装梱包箱は内部に食品が収納されることから、請求項１の効果に加え、食品が封入された後に、外部から異物がされる危険性を防止し、食品の安全性が確保される。
【考案を実施するための最良の形態】
【００２７】
以下、図面を用いて本考案の実施の形態について説明する。
本実施の形態に係る包装梱包箱１０は、図２に示すとおり、箱体本体１１の内部に収納物を収納して、開口部１２、１３を蓋部１４、１５で閉じることで封止する包装梱包箱１０であって、上記蓋部１４、１５は、上記開口部１２、１３の開口縁部１６、１７に延設され、内方へ折り曲げることで、上記開口部１２、１３を覆う蓋片部１８、１９と、上記蓋片部１８、１９に延設され、上記蓋片部１８、１９が内方に折り曲げられた場合に、箱体本体１１の内部に差し込まれることで、上記開口部１２、１３を封止しうる連結片部２０、２１とから形成され、上記蓋片部１８、１９と上記開口縁部１６、１７との間には、内方へ折り込み可能な折込蓋片部２２、２３、２４、２５が上記蓋片部１８、１９の両端において一対に互いに対向して設けられ、上記一対の折込蓋片部２２、２３、２４、２５には、上記蓋片部１８、１９が内方に折り曲げられた場合に、上記連結片部１８、１９の基端部と当接する位置に係合片部２８、２９、３０、３１が設けられると共に、上記連結片部２０、２１の基端部には、上記係合片部２８、２９、３０、３１と係合させることで、上記蓋片部１８、１９を固定しうる一対の係合溝部３２、３３、３４、３５が設けられている。
また、図１に示すとおり、箱体本体１１は直方体に形成され、上面部３６と、底面部３７と、長さ方向側面部３８、４０と、幅方向側面部３９、４１とを有し、図２に示すとおり、上記蓋片部１８、１９は上記本体１１の長さ方向両端部に形成される開口部１２、１３において、上記底面部３７の長さ方向端縁部に、上記本体１１の幅方向に沿って連設され、上記折込蓋片部２２、２３、２４、２５は、一端部が、上記開口部１２、１３において記本体１１の幅方向側面部３９、４１の長さ方向端縁部に連設されると共に、他端が上記蓋片部１８、１９の幅方向端部に連設され、上記連結片部２０、２１の係合溝部３２、３３、３４、３５は、上記連結片部２０、２１の基端部の幅方向両端部において、幅方向に沿って設けられると共に、上記折込蓋片部２２、２３、２４、２５の係合片部２８、２９、３０、３１は、上記折込蓋片部２２、２３、２４、２５の反蓋片部１８、１９側端部に形成されている。
【００２８】
また、図１、図２及び図６に示すとおり、上記係合片部２８、２９、３０、３１は、上記折込蓋片部２２、２３、２４、２５が内方に折り込まれた場合に、上記開口縁部１６、１７の反蓋片部１８、１９側の幅方向両端部に当接しうるように形成されている。
【００２９】
また、図２に示すとおり、上記蓋片部１８、１９の対向側の開口縁部には、上記蓋片部１８、１９を閉状態に固定しうる蓋部固定片部４２、４３が連設されると共に、上記連結片部２０、２１の基端部の幅方向中央部には、上記蓋部固定片部４２、４３を挿入しうるスリット４４、４５が設けられている。
更に、上記スリット４４、４５の両端部には一対の段部４４ａ、４４ｂ、４５ａ、４５ｂが設けられると共に、上記蓋部固定片部４２、４３の幅方向両端部には、上記段部４４ａ、４４ｂ、４５ａ、４５ｂに係止される一対の係止溝部４６ａ、４６ｂ、４７ａ、４７ｂが設けられている。
【００３０】
また、上記包装梱包箱１０には、内部に食品が収納されている。
【実施例１】
【００３１】
図１は、本実施例に係る包装梱包箱１０を示したものである。
上記包装梱包箱１０は、図３に示すように、厚紙４８が裁断され、上記厚紙４８を組み立てられることによって本体１１が形成されるものである。
【００３２】
包装梱包箱１０の本体１１は、図３に示すとおり、展開状態において、方形の底面部形成部４９の長さ方向両端部には、折り曲げ線８４、８５を介して長さ方向側面部形成部５０、５１が連設されている。
また、上記底面部形成部４９の幅方向一端部には、折り曲げ線８６ａを介して幅方向側面部形成部５２が連設されると共に、幅方向他端部には折り曲げ線８６を介して幅方向内方側面部形成部５３が連設されている。
また、上記長さ方向側面部形成部５０、５１の幅方向両端部５４、５５、及び５６、５７と、上記幅方向側面部形成部５２の長さ方向端部５８、５９、及び上記幅方向内方側面部形成部５３の長さ方向両端部６０、６１のとの間には、夫々折り曲げ線８７乃至９４を介して、折込蓋片部形成部６２、６３、６４、６５が連設されている。
上記折込蓋片部形成部６２、６４は、折り曲げ線９５、９６、９７、９８を介して二つ折とした場合に、略三角形となる形状を有し、上記折込蓋片部形成部６３、６５と上記幅方向側面部形成部５２との連設部、及び上記折込蓋片部形成部６３、６５と幅方向内方側面部形成部５３との連設部には、長さ方向に沿って係合片部形成部８０、８１、８２、８３が夫々延設されている。
【００３３】
また、上記長さ方向側面部形成部５０、５１の反底面部形成部側端部には、折り曲げ線９９、１００を介して連結片部形成部６６、６７が連設されている。
また、上記連結片部形成部６６、６７の基端部の幅方向両端部には係合溝部形成部６８、６９及び７０、７１が形成されると共に、長さ方向中央部には、折り曲げ線９９、１００に沿ってスリット形成部７２、７３が形成されている。
また、上記スリット形成部７２、７３の両端部には段部形成部７４ａ、７４ｂ、７５ａ、７５ｂが形成されている。
【００３４】
また、上記幅方向側面部形成部５２の反底面部形成部側端部には、折り曲げ線１０１を介して、上面部形成部７６が連設されている。
また、上記上面部形成部７６の長さ方向両端部の幅方向中央部には、折り曲げ線１０２、１０３を介して、蓋部固定片部形成部７７、７８が連設されると共に、上記上面部形成部７６の反底面部形成部側には、折り曲げ線１０４を介して、幅方向外方側面部形成部７９が連設されている。
また、上記蓋部固定変部形成部７７、７８の基端部の両端には、係止溝部形成部１０６、１０７、及び１０８、１０９が設けられている。
また、上記上面部形成部７６の表面には、開封用のミシン目形成部１０５が設けられている。
【００３５】
以下、図３に示す展開状態から箱本体１１を形成する手順について説明する。
図３に示す展開状態において、先ず折り曲げ線８６ｂ、８８、９０に沿って、幅方向内方側面部側面部形成部５３と折込蓋片部形成部６３、６５を内方に折り込み、次いで、折り曲げ線８６ａ、８７、８９に沿って、上記幅方向側面部形成部５２と折り込み蓋片部６２、６４を内方に折り込む。
更に、折り曲げ線１０１に沿って、上記上面部形成部７６を折り込み、次いで、折り曲げ線１０４に沿って上記幅方向外方側面部形成部７９を内方に折り込み、上記幅方向内方側面部形成部５３の外方より重ね合わせる。
この状態で、上記幅方向内方側面部形成部５３の外面と、上記幅方向外方側面部形成部７９の内面とを接着剤によって接着することで、図２に示すように、上面部３６、底面部３７、幅方向側面部３９、４１が形成される。
【００３６】
図２に示す状態においては、長さ方向両端に開口部１２、１３が形成されている。
以下、内部に食品等を収納した後に、上記開口部１２、１３を封止する手順を、開口部１２の封止手順を例に説明する。
図４から図６は、開口部１２の封止過程を、折込蓋片部２３部分を拡大して時系列に示したものである。
図４の状態において、蓋片部１８を折り目８４を介して内方に折り曲げると共に、連結片部２０を折り目９９を介して内方に折り曲げると、折込蓋片部２３は、折り目９６を介して内方に折れ曲がり、上記開口部１２は、図５に示す状態となる。
図５の状態から、上記連結片部２０を開口部１２から差し込んで上面部３６の裏面に当接させると、上記折込蓋片部２３は、折り目９６を介して二つ折りの状態となり、上記蓋片部１８の内面に当接すると共に、係合片部２９は、上記開口縁部１６の反蓋片部側の幅方向両端に当接する。
更に、上記連結片部２０を基端部まで差し入れると、図６に示すように、上記係合片部２９と上記連結片部２０の係合溝部３３の位置が合致し、上記係合片部２９と上記係合溝部３３が係合する。
【００３７】
更に図５の状態から、蓋部固定片部４２を内方に折りまげつつ、上記連結片部２０の基端部の幅方向中央部に設けられたスリット４４内に挿入させる。
上記スリット４４内に挿入された、上記蓋部固定片部４２は、図６に示すように、両端の係止溝係止溝部４６ａ、４６ｂが、上記スリットの両端部に設けられた段部４４ａ、４４ｂに係止されて固定される。
【００３８】
開口部１２の封止過程において、図２に示す折込蓋片部２２と、上記折り曲げ片部の折り曲げ線９５と係合片部２８、及び連結片部１８も、上記と同様の作用により、係合溝部３２と係合片部２８が係合する。
また、開口部１３においてもその作用は同様である。
【００３９】
上記の過程で開口部１２が封止されると、図１に示すように係合溝部３２、３３と係合片部２８、２９との係合によって、上記蓋片部１８は、幅方向両端において封止されることで、幅方向両端部の固定が十分になされると共に、高さ方向から力が加えられた場合であっても、上記折込蓋片部２３と上記蓋片部１８とが一体的に荷重を支えるため、上記蓋片部１８と織り込み蓋片部２３ととが撓み難くいことから、折込蓋片部２３と上面部３６との間に間隙が生じ難く、異物が混入される危険性を軽減することができる。
また、上記蓋部固定片部４２の係止溝部４６ａ、４６ｂと、上記スリット４４の段部４４ａ、４４ｂとが係止されることで、上記蓋片部１８は幅方向中央部においても封止されることから、異物が混入される危険性を更に軽減することができる。
【産業上の利用可能性】
【００４０】
本考案は食品等を収納する包装梱包箱に適用可能である。
【図面の簡単な説明】
【００４１】
【図１】本考案の包装梱包箱の一実施の形態を示し、本実施の形態における包装梱包箱の蓋部を封止した状態の斜視図である。
【図２】本考案の包装梱包箱の一実施の形態を示し、本実施の形態における包装梱包箱の蓋部を開放した状態の斜視図である。
【図３】本考案の包装梱包箱の一実施の形態を示し、本実施の形態における包装梱包箱の展開状態の平面図である。
【図４】本考案の包装梱包箱の一実施の形態を示し、本実施の形態における包装梱包箱の蓋部を開放した状態の折込蓋片部の拡大斜視図である。
【図５】本考案の包装梱包箱の一実施の形態を示し、本実施の形態における包装梱包箱の蓋部を封止する中途の過程における折込蓋片部の拡大斜視図である。
【図６】本考案の包装梱包箱の一実施の形態を示し、本実施の形態における包装梱包箱の蓋部を封止した状態の折込蓋片部の拡大斜視図である。
【図７】従来の包装梱包箱の蓋部を封止した状態の斜視図である。
【図８】従来の包装梱包箱の蓋部を開放した状態の斜視図である。
【図９】従来の包装梱包箱の蓋部を封止する中途の過程における状態の斜視図である。
【符号の説明】
【００４２】
１０  包装梱包箱
１１  包装梱包箱本体
１２  開口部
１３  開口部
１４  蓋部
１５  蓋部
１６  開口縁部
１７  開口縁部
１８  蓋片部
１９  蓋片部
２０  連結片部
２１  連結片部
２２  折込蓋片部
２３  折込蓋片部
２４  折込蓋片部
２５  折込蓋片部
２８  係合片部
２９  係合片部
３０  係合片部
３１  係合片部
３２  係合溝部
３３  係合溝部
３４  係合溝部
３５  係合溝部
３６  上面部
３７  底面部
３８  長さ方向側面部
３９  幅方向側面部
４０  長さ方向側面部
４１  幅方向側面部
４２  蓋部固定片部
４３  蓋部固定片部
４４  スリット
４４ａ  段部
４４ｂ  段部
４５  スリット
４５ａ  段部
４５ｂ  段部
４６ａ  係止溝部
４６ｂ  係止溝部
４７ａ  係止溝部
４７ｂ  係止溝部
４８  厚紙
４９  底面部形成部
５０  長さ方向側面部形成部
５１  長さ方向側面部形
５２  幅方向側面部形成部
５３  幅方向内方側面部形成部
５４  長さ方向側面部の幅方向端部
５５  長さ方向側面部の幅方向端部
５６  長さ方向側面部の幅方向端部
５７  長さ方向側面部の幅方向端部
５８  幅方向側面部の長さ方向端部
５９  幅方向側面部の長さ方向端部
６０  幅方向側面部の長さ方向端部
６１  幅方向側面部の長さ方向端部
６２  折込蓋片部形成部
６３  折込蓋片部形成部
６４  折込蓋片部形成部
６５  折込蓋片部形成部
６６  連結片部形成部
６７  連結片部形成部
６８  係合溝部形成部
６９  係合溝部形成部
７０  係合溝部形成部
７１  係合溝部形成部
７２  スリット形成部
７３  スリット形成部
７４ａ  段部形成部
７４ｂ  段部形成部
７５ａ  段部形成部
７５ｂ  段部形成部
７６  上面部形成部
７７  蓋部固定片部形成部
７８  蓋部固定片部形成部
７９  幅方向外方側面部形成部
８０  係合片部形成部
８１  係合片部形成部
８２  係合片部形成部
８３  係合片部形成部  
８４  折り曲げ線
８５  折り曲げ線
８６ａ  折り曲げ線
８６ｂ  折り曲げ線
８７  折り曲げ線
８８  折り曲げ線
８９  折り曲げ線
９０  折り曲げ線
９１  折り曲げ線
９２  折り曲げ線
９３  折り曲げ線
９４  折り曲げ線
９５  折り曲げ線
９６  折り曲げ線
９７  折り曲げ線
９８  折り曲げ線
９９  折り曲げ線
１００  折り曲げ線
１０１  折り曲げ線
１０２  折り曲げ線
１０３  折り曲げ線
１０４  折り曲げ線
１０５  ミシン目
１０６  係止溝部形成部
１０７  係止溝部形成部
１０８  係止溝部形成部
１０９  係止溝部形成部
２００  包装梱包箱
２０１  包装梱包箱本体
２０２  開口部
２０３  開口部
２０４  蓋部
２０５  蓋部
２０６  内方蓋片部
２０７  内方蓋片部
２０８  外方蓋片部  
２０９  外方蓋片部
２１０  折込蓋片部
２１１  折込蓋片部
２１２  折込蓋片部
２１３  折込蓋片部
２１４  ロック片部
２１５  ロック片部
２１６  ロック片部
２１７  ロック片部
２１８  上面部
２１９  底面部  
２２０  側面部
２２１  側面部
２２２  側面部
２２３  側面部
２２４  スリット
２２５  スリット
２２８  連結片部
２２９  連結片部
２３０  折り曲げ線
２３１  折り曲げ線
２３２  折り曲げ線
２３３  折り曲げ線
２３４  折り曲げ線
２３５  折り曲げ線
２３６  折り曲げ線
２３７  折り曲げ線
２３８  間隙部
２３９  間隙部
【図１】
0003142170.tif 000003
【図２】
0003142170.tif 000004
【図３】
0003142170.tif 000005
【図４】
0003142170.tif 000006
【図５】
0003142170.tif 000007
【図６】
0003142170.tif 000008
【図７】
0003142170.tif 000009
【図８】
0003142170.tif 000010
【図９】
0003142170.tif 000011